(57)【特許請求の範囲】
【請求項１】
導電性の薄板金属を折り曲げて角筒状に形成された接続部を一端部に有すると共に、コネクタハウジング内の端子収容室からの後抜け防止用のターミナルランスを有する端子金具であって、
前記ターミナルランスは、前記接続部の幅方向に折り曲げた折り返し部を備え、全幅にわたって外側方向に所定角度折り曲げ形成されており、
前記折り返し部が、前記接続部の一側面を二重に重ね合わせた第１側壁と、該第１側壁を形成する外側板の後方に連設された第２側壁とを有し、該第２側壁の後方を切り欠いて内側板を内側に折り返してコの字状に形成されていることを特徴とする端子金具。
【発明の詳細な説明】
【０００１】
【発明の属する技術分野】
本発明は、コネクタハウジング内の端子収容室に挿入される端子金具に関し、詳しくは端子収容室内で後抜け防止のために形成される端子金具のターミナルランスの構造に関するものである。
【０００２】
【従来の技術】
従来の端子金具としては、例えば特開平１０−１３４８７５号公報に記載されているようなものがある。すなわち、図７に示したような端子金具１０１は、雌型端子金具であり、相手側の雄型端子金具が挿入される角筒状の接続部１０３と、被覆電線を圧接した状態に保持して電気的に導通する電線保持部１０５とから構成されている。
【０００３】
前記接続部１０３は、相手側の雄型端子金具と接触可能な弾性接触片１０７が前縁部から内側に折り返して形成されている。前記接続部１０３の天井壁１０９には、端子金具１０１を図示しないコネクタハウジングの端子収容室内の正規位置に案内するためのスタビライザ１１１が上方へ突出して設けられていると共に、端子収容室内に端子金具１０１を係止させて後抜けを防止するためのターミナルランス１１３が上方に所定角度で切り起こされている。このターミナルランス１１３は端子収容室に挿入されるとき下方に弾性変形して、所定位置に挿入された状態で上方へ戻り端子収容室内の係止部に係止される。
【０００４】
図８に示したように、端子金具１０１を形成する金属薄板１１５の接続部１０３は、幅方向に5つの領域に分けて折り曲げられるようになっており、 その真ん中の領域が接続部１０３の底壁１１７となる。この底壁１１７の両側には両側壁１１９、１１９が設けられ、さらにその隣の領域が重ね合わされて天井壁１０９、１２１を構成するようになっている。
上述したターミナルランス１１３は、天井壁１０９に縁端部１２３（肉のつながり部分）を残すように切り欠かれて形成されている。なお、前述のスタビライザ１１１は、縁端部１２３を挟んでターミナルランス１１３の反対側に設けられている。
【０００５】
【発明が解決しようとする課題】
しかしながら、上述したような従来の端子金具１０１においては、コネクタハウジングからの後抜けを防止するためのターミナルランス１１３が、端子金具１０１の天井壁１０９を形成する薄板金属の縁端部１２３を残して切り起こしているため、横幅を大きく取ることができず十分な保持力を確保できないという問題があった。
【０００６】
また、ターミナルランス１１３は、端子金具１０１の二重に重ねて構成されている上側の天井壁１０９を構成する薄板金属１１５により形成されているため、外向きの外力が作用したときに捲れ易く、端子金具１０１がコネクタハウジングから後抜けするのを確実に防止することができないという問題があった。
本発明の目的は、上記従来の端子金具の問題点に着目してなされたものであり、ターミナルランスの強度を増すことにより確実に後抜け防止を図ることができる端子金具を提供することにある。
【０００７】
【課題を解決するための手段】
本発明の端子金具は、導電性の薄板金属を折り曲げて角筒状に形成された接続部を一端部に有すると共に、コネクタハウジング内の端子収容室からの後抜け防止用のターミナルランスを有する端子金具であって、前記ターミナルランスは、前記接続部の幅方向に折り曲げた折り返し部を備え、全幅にわたって外側方向に所定角度折り曲げ形成されており、前記折り返し部が、前記接続部の一側面を二重に重ね合わせた第１側壁と、該第１側壁を形成する外側板の後方に連設された第２側壁とを有し、該第２側壁の後方を切り欠いて内側板を内側に折り返してコの字状に形成されていることを特徴とする。
従って、接続部の幅方向に折り返し部を設けることでターミナルランスの強度が著しく向上するとともに、接続部の全幅にわたってターミナルランスを形成することができるので、端子収容室内で安定的に係止することができる。よって、端子金具の後抜けを確実に防止することができる。
【０００８】
また、前記折り返し部が、前記接続部の一側面を二重に重ね合わせて第１側壁を形成し、該第１側壁を形成する外側板の後方に連設された第２側壁の後方を切り欠いて内側板を内側に折り返すようにコの字状に折り曲げることで形成されているので、前記内側板の上方にターミナルランスの外側板が配置されるとともに、前記内側板の下方にターミナルランスの前記折り返し部が配置される。従って、コの字状のターミナルランスの縦方向の変位に対して前記内側板がストッパ部材として機能する。しかも、第２側壁を切り欠いて折り返し部を形成しているため、第１側壁の全幅にわたってターミナルランスを形成することができる。よって、ターミナルランスの縦方向の変位を確実に抑えることができ、一層安定した係止状態を確保することができる。
【０００９】
【発明の実施の形態】
以下、本発明の端子金具の一実施形態を図１乃至図６に基づいて詳細に説明する。図１は本実施形態の端子金具を示す斜視図、図２は図１における展開図、図３は図１におけるＡ−Ａ線断面図、図４は図３におけるＢ−Ｂ線断面図、図５は本実施形態の端子金具のコネクタハウジング内への挿入時の作用を示す斜視図、図６は図５における挿入完了状態を示す断面図である。
本実施形態の端子金具１は、雌型であり、相手側の図示していない雄型端子金具が挿入される角筒状の接続部３と、被覆電線を圧接した状態に保持して電気的に接続する電線保持部５とを有している。
【００１０】
図２に示すように端子金具１は、金属薄板を所定形状に打ち抜いて一次加工され、所定箇所を折り曲げて二次加工される。前記接続部３に対応する部分は、曲げ線９Ａ、９Ｂ、９Ｃ、９Ｄにより区分されており、中央の底壁１１の両外側（図中上下方向）には第２側壁としての側壁１３、１５と、この側壁１３、１５の外側に第１側壁としての天井壁１７を構成する内側板１９と外側板３１が設けられている。
また、底壁１１と両側壁１３、１５との間の曲げ線９Ｂ、９Ｃは右側端部に切欠き２１、２３が各々設けられており、底壁１１の図中右端には、底壁１１よりも幅が狭い弾性接触片２５が突出するように設けられている。また、底壁１１の一部は全幅に渡って切り欠かれて開口２７が設けられている。
【００１１】
また、前記天井壁１７のうち、後述する組み付けの際に上側に重ねられる外側板３１には、曲げ線２９の図中左側にターミナルランス７が設けられている。このターミナルランス７は、Ｌ字状の切欠き３３により外側板３１に隣接する側壁１３側に突出する折り返し部３５を有している。すなわち、切欠き３３は、曲げ線２９を延長するように側壁１３に切り欠かれ、曲げ線９Ｂに達する前に図２中左方向へ曲がって側壁１３の左端部まで切り欠かれている。
また、この折り返し部３５には曲げ線３７、３９が設けられており、各々内側へ折曲げられる。なお、曲げ線３７と曲げ線３９との間隔は、少なくとも下側の天井壁１９の板厚（金属薄板の板厚）よりも大きく取られている。
【００１２】
また、前記電線保持部５は、図２中左側に一対の電線被覆加締部４１が設けられており、この電線被覆加締部４１に近接（図中右側）して一対の心線加締部４３が設けられている。
【００１３】
次に、本実施形態の端子金具１の形成手順について説明する。
先ず、図２に示すように、上側の外側板３１を曲げ線２９に沿って曲げ上げると共に、弾性接触片２５の先端を巻き込むように曲げ、さらに曲げ線４５から折り返して形成される（図３参照）。
なお、上述したように、弾性接触片２５の横幅は底壁１１の幅よりも小さく形成されている。また、弾性接触片２５上に突起４９を設けて、挿入される雄型端子金具に確実に接触するように構成されている（図４参照）。
【００１４】
次に、曲げ線９Ｂ、９Ｃを直角に曲げ上げて底壁１１を形成した後、曲げ線９Ｄを直角に折り曲げて内側板１９を底壁１１と平行に形成する。
次に、曲げ線９Ａを直角に折り曲げて外側板３１を内側板１９上に重ねて角筒状の接続部３を形成する。
次に、折り返し部３５を曲げ線３７に沿って内側に直角に曲げ下げて縦壁５１を形成すると共に、曲げ線３９を内側に直角に曲げて係止部５３を形成する。
【００１５】
また、前記電線保持部５は、電線接続前に接続部３の側壁１３、１５における曲げ線９Ｂ、９Ｃの延長線上に沿って曲げ上げると共に、電線接続時に一対の心線加締部４３および電線被覆加締部４１を電線の外側から電線を抱き込むようにして加締める。
【００１６】
次に、本実施形態の端子金具のコネクタハウジング内への挿入作用を説明する。上述した構成の端子金具１は、図５に示すように弾性接触片２５側を前にしてコネクタハウジング５５の端子収容室５７内に挿入すると、ターミナルランス７は端子収容室５７の天井壁６１に当接して押し下げ（図３中Ｃ方向）られる。
そして、端子金具１は、所定位置まで挿入されるとターミナルランス７が端子収容室５７内部の係止凹部５９に達して弾性力により上方へ跳ね上がる（図３中Ｄ方向）。これにより、図６に示すようにターミナルランス７の後端部が端子収容室５７の天井壁６１に設けられている係止段部６３に係止され、端子金具１はコネクタハウジング５５からの後抜けを確実に防止することができる。
【００１７】
上述したように本実施形態の端子金具１は、ターミナルランス７が天井壁１７の全幅にわたって設けられているので、ターミナルランス７の強度がアップすると共に、ターミナルランス７の折り返し部３５を形成している縦壁５１が補強部材として機能するのでターミナルランス７の剛性がアップして端子保持力が向上する。
【００１８】
また、ターミナルランス７には内側板１９の内側に回り込む係止部５３が一体的に設けられているので、ターミナルランス７を起こす方向（図３中Ｄ方向）に外力が作用した場合に係止部５３が内側板１９の下面に当接する。このため、ターミナルランス７の上方への過大変位を阻止して、捲れるのを防止できるので、端子金具１のコネクタハウジング５５内からの後抜けを確実に防止することができる。
なお、ターミナルランス７を解除する方向（図３中Ｃ方向）に外力が作用しても、ターミナルランス７は内側板１９の上面に当接するため上記同様に過度な変形が阻止される。
【００１９】
なお、上述した発明の実施形態の端子金具においては、接続部３の天井壁１７を内側板１９と外側板３１の二重構成として、外側板３１にターミナルランス７を設ける場合について説明したが、底壁１１又は側壁１３、１５側に設けることも可能である。
【００２０】
【発明の効果】
以上説明したように本発明の端子金具においては、ターミナルランスは、接続部の幅方向に折り曲げた折り返し部を備え、全幅にわたって外側方向に所定角度折り曲げ形成されている。
従って、ターミナルランスの強度が著しく向上するとともに、接続部の全幅にわたってターミナルランスを形成することができるので、端子収容室内で安定的に係止することができる。よって、端子金具の後抜けを確実に防止することができる。
【００２１】
また、本発明の端子金具においては、前記折り返し部が、前記接続部の一側面を二重に重ね合わせて第１側壁を形成し、該第１側壁を形成する外側板の後方に連設された第２側壁の後方を切り欠いて内側板を内側に折り返すようにコの字状に折り曲げることで形成されている。
従って、前記内側板の上方にターミナルランスの外側板が配置されるとともに、前記内側板の下方にターミナルランスの前記折り返し部が配置されるので、コの字状のターミナルランスの縦方向の変位に対して前記内側板がストッパ部材として機能する。よって、ターミナルランスの縦方向の変位を確実に抑えることができ、外側への捲れ等を確実に防止して一層安定した係止状態を確保することができる。
【図面の簡単な説明】
【図１】本発明の端子金具を示す斜視図である。
【図２】図１における展開図である。
【図３】図１におけるＡ−Ａ線断面図である。
【図４】図３におけるＢ−Ｂ線断面図である。
【図５】本発明の端子金具のコネクタハウジング内への挿入時の作用を示す斜視図である。
【図６】図５における挿入完了状態を示す断面図である。
【図７】従来の端子金具を示す斜視図である。
【図８】図７における展開図である。
【符号の説明】
１  端子金具
３  接続部
７  ターミナルランス
１７  天井壁（第１側壁）
１９  内側板
３１  外側板
３５  折り返し部
５１  縦壁
５３  係止部
【図１】
0003745634.tif 000002
【図２】
0003745634.tif 000003
【図３】
0003745634.tif 000004
【図４】
0003745634.tif 000005
【図５】
0003745634.tif 000006
【図６】
0003745634.tif 000007
【図７】
0003745634.tif 000008
【図８】
0003745634.tif 000009